(57)【要約】      （修正有）【課題】歯底角部に形成された段部とチップシールとの接触を防止するスクロール流体機械を提供する。【解決手段】固定スクロールの歯先にはチップシール溝３ｄが形成され、チップシール７が収納されている。固定スクロールの壁体３ｂの歯先角部８に対向する旋回スクロールの壁体５ｂの根元の歯底角部９には、段部９ａが設けられている。チップシール溝は、段部に対向する位置よりも壁体の厚さ方向中心側に形成されている。すなわち、壁体の歯先の土手幅Ｔａが、段部９ａの段部幅Ｓｗよりも大きくされている。【選択図】図８
2018031349.tif 000002
【特許請求の範囲】
【請求項１】
第１端板上に渦巻状の第１壁体が設けられた第１スクロール部材と、
前記第１端板に向かい合うように配置された第２端板上に渦巻状の第２壁体が設けられ、該第２壁体が前記第１壁体と噛み合って相対的に公転旋回運動を行う第２スクロール部材と、
前記第１壁体及び前記第２壁体の歯先に形成された溝部に設けられ、対向する歯底に接触して流体をシールするチップシールと、
を備えたスクロール流体機械であって、
一方の前記壁体の歯先角部に対向する他方の前記壁体の根元の歯底角部には、段部が設けられ、
前記溝部は、前記段部に対向する位置よりも前記壁体の厚さ方向中心側に形成されていることを特徴とするスクロール流体機械。
【請求項２】
向かい合う前記第１端板と前記第２端板との対向面間距離が、前記第１壁体及び前記第２壁体の外周側から内周側に向かって、連続的に減少する傾斜部を備えていることを特徴とする請求項１に記載のスクロール流体機械。
【請求項３】
端板と、
該端板上に設けられた渦巻状の壁体と、
を備え、
前記壁体の歯先にチップシールを収納する溝部が設けられたスクロール部材の加工方法であって、
前記壁体の一方の周壁面及び隣接する歯底を加工する第１周壁面加工工程と、
前記壁体の他方の周壁面及び隣接する歯底を加工する第２周壁面加工工程と、
前記端板の歯先に前記溝部を形成する溝部加工工程と、
を有し、
前記壁体の根元の歯底角部には、段部が設けられ、
前記溝部は、前記段部に対向する位置よりも前記壁体の厚さ方向中心側に形成されていることを特徴とするスクロール部材の加工方法。
【請求項４】
前記スクロール部材は、前記壁体の高さが外周側から内周側に向かって連続的に減少する壁体傾斜部、および／または、前記端板の高さが外周側から内周側に向かって連続的に増大する壁体傾斜部を備えていることを特徴とする請求項３に記載のスクロール部材の加工方法。
【請求項５】
端板と、
該端板上に設けられた渦巻状の壁体と、
を備え、
前記壁体の歯底から歯先までの高さが渦巻き方向に連続的に変化する傾斜部を備えたスクロール部材の加工方法であって、
前記壁体の一方の周壁面及び隣接する歯底を加工する第１周壁面加工工程と、
前記壁体の他方の周壁面及び隣接する歯底を加工する第２周壁面加工工程と、
前記一方の周壁面と前記他方の周壁面との間の歯底のみを加工する歯底加工工程と、
前記端板の歯先に溝部を形成する溝部加工工程と、
を有し、
前記壁体の根元の歯底角部には、段部が設けられ、
前記溝部は、前記段部に対向する位置よりも前記壁体の厚さ方向中心側に形成されていることを特徴とするスクロール部材の加工方法。
【発明の詳細な説明】
【技術分野】
【０００１】
本発明は、スクロール流体機械およびスクロール部材の加工方法に関するものである。
【背景技術】
【０００２】
一般に、端板上に渦巻状の壁体が設けられた固定スクロール部材と旋回スクロール部材とを噛み合わせ、公転旋回運動を行わせて流体を圧縮または膨張するスクロール流体機械が知られている。
【０００３】
このようなスクロール流体機械として、特許文献１に示すようないわゆる段付きスクロール圧縮機が知られている。この段付きスクロール圧縮機は、固定スクロールおよび旋回スクロールの渦巻状の壁体の歯先面および歯底面の渦巻き方向に沿う位置に各々段部が設けられ、各段部を境に壁体の外周側の高さが内周側の高さよりも高くされている。段付きスクロール圧縮機は、壁体の周方向だけでなく、高さ方向にも圧縮（三次元圧縮）されるため、段部を備えていない一般的なスクロール圧縮機（二次元圧縮）に比べ、押しのけ量を大きくし、圧縮機容量を増加することができる。
【先行技術文献】
【特許文献】
【０００４】
【特許文献１】特開２０１５−５５１７３号公報
【発明の概要】
【発明が解決しようとする課題】
【０００５】
しかし、段付きスクロール圧縮機は、段部における流体漏れが大きいという問題がある。また、段部の根元部分に応力が集中して強度が低下するという問題がある。
【０００６】
これに対して、発明者等は、壁体及び端板に設けられた段部に代えて連続的な傾斜部を設けることを検討している。
【０００７】
しかし、傾斜部の加工は、平坦面を加工する場合に比べて難易度が高いという問題がある。壁体の根元の歯底角部の加工精度が低下すると、歯底角部に段部が形成され、チップシールと接触するおそれがある。段部に対してチップシールが跨がるように接触すると、チップシールと歯底との間に隙間が生じて流体の漏れが発生する。また、チップシールが段部に対して摺動することによって摩耗が過度に進行するおそれがある。そして、スクロール流体機械の性能低下を招くおそれがある。
【０００８】
また、このような問題は、傾斜部を有するスクロール流体機械だけでなく、段部を備えていない一般的なスクロール圧縮機や段付きスクロール圧縮機であっても、歯底角部の加工誤差によって生じ得る。
【０００９】
本発明は、このような事情に鑑みてなされたものであって、歯底角部に形成された段部とチップシールとの接触を防止するスクロール流体機械およびスクロール部材の加工方法を提供することを目的とする。
【課題を解決するための手段】
【００１０】
上記課題を解決するために、本発明のスクロール流体機械およびスクロール部材の加工方法は以下の手段を採用する。
本発明に係るスクロール流体機械は、第１端板上に渦巻状の第１壁体が設けられた第１スクロール部材と、前記第１端板に向かい合うように配置された第２端板上に渦巻状の第２壁体が設けられ、該第２壁体が前記第１壁体と噛み合って相対的に公転旋回運動を行う第２スクロール部材と、前記第１壁体及び前記第２壁体の歯先に形成された溝部に設けられ、対向する歯底に接触して流体をシールするチップシールとを備えたスクロール流体機械であって、一方の前記壁体の歯先角部に対向する他方の前記壁体の根元の歯底角部には、段部が設けられ、前記溝部は、前記段部に対向する位置よりも前記壁体の厚さ方向中心側に形成されていることを特徴とする。
【００１１】
歯底の加工を行う際に、壁体の根元の歯底角部に段部が形成されることがある。この段部を跨がるようにチップシールが接触すると、チップシールと歯底との間に隙間が生じて流体の漏れが発生するおそれがあり、またチップシールが摩耗するおそれがある。
そこで、段部に対向する位置よりも壁体の厚さ方向中心側に溝部を形成することとして、チップシールが段部に接触しないようにした。これにより、チップシールと段部との隙間からの流体漏れを低減するとともにチップシールの摩耗を抑えることができ、スクロール流体機械の性能の低下を抑えることができる。
なお、歯底角部に設けられた段部は、加工によって不可避的に形成されたものも含む。
【００１２】
さらに、本発明のスクロール流体機械では、向かい合う前記第１端板と前記第２端板との対向面間距離が、前記第１壁体及び前記第２壁体の外周側から内周側に向かって、連続的に減少する傾斜部を備えていることを特徴とする。
【００１３】
第１端板と第２端板との対向面間距離が壁体の外周側から内周側に向かって連続的に減少する傾斜部が設けられているので、外周側から吸い込まれた流体は内周側に向かうにしたがい、壁体の渦巻形状に応じた圧縮室の減少によって圧縮されるだけでなく、端板間の対向面間距離の減少によって更に圧縮されることになる。
傾斜部の加工は平坦面を加工する場合に比べて難易度が高いため、壁体の根元の歯底角部の加工精度が低下するおそれがある。歯底角部の加工精度が低下すると、歯底角部に段部が生じる。
例えば、壁体の一方の周壁面及び隣接する歯底を加工し、その後に共通の歯底を挟んで対向する他方の周壁面及び隣接する歯底を加工すると、少なくとも２パスの加工工程を経ることになる。この場合には、歯底の高さを２パス間で正確に一致させることが困難なため、歯底の高さにずれが生じ、歯底角部に隣接する歯底に段部が発生する。
また、壁体の一方の周壁面及び隣接する歯底を所定の第１加工ピッチで加工し、壁体の他方の周壁面及び隣接する歯底を同じ第１加工ピッチで加工した後に、歯底のみを第１加工ピッチよりもさらに細かい第２加工ピッチで加工した場合には、第２加工ピッチよりも粗い第１加工ピッチに対応した段部が歯底角部に隣接する歯底に発生する。
このように、傾斜部を有するスクロール部材は歯底角部に段部が生じやすいので、上述のように溝部の位置を段部に対向しないようにしてチップシールを段部に接触させないようにすることが特に有効となる。
【００１４】
また、本発明のスクロール部材の加工方法は、端板と、該端板上に設けられた渦巻状の壁体とを備え、前記壁体の歯先にチップシールを収納する溝部が設けられたスクロール部材の加工方法であって、前記壁体の一方の周壁面及び隣接する歯底を加工する第１周壁面加工工程と、前記壁体の他方の周壁面及び隣接する歯底を加工する第２周壁面加工工程と、前記端板の歯先に前記溝部を形成する溝部加工工程とを有し、前記壁体の根元の歯底角部には、段部が設けられ、前記溝部は、前記段部に対向する位置よりも前記壁体の厚さ方向中心側に形成されていることを特徴とする。
【００１５】
第１周面加工工程と第２周面加工工程を行った後に、加工精度等によって歯底角部に段部が形成される。この段部に対向しない位置に、溝部を形成することとする。これにより、チップシールと段部との接触を避けることができる。
なお、歯底角部に設けられた段部は、加工によって不可避的に形成されたものも含む。
また、スクロール部材は、前記壁体の高さが外周側から内周側に向かって連続的に減少する壁体傾斜部、および／または、前記端板の高さが外周側から内周側に向かって連続的に増大する壁体傾斜部を備えていても良い。
【００１６】
また、本発明のスクロール部材の加工方法は、端板と、該端板上に設けられた渦巻状の壁体とを備え、前記壁体の歯底から歯先までの高さが渦巻き方向に連続的に変化する傾斜部を備えたスクロール部材の加工方法であって、前記壁体の一方の周壁面及び隣接する歯底を加工する第１周壁面加工工程と、前記壁体の他方の周壁面及び隣接する歯底を加工する第２周壁面加工工程と、前記一方の周壁面と前記他方の周壁面との間の歯底のみを加工する歯底加工工程と、前記端板の歯先に溝部を形成する溝部加工工程とを有し、前記壁体の根元の歯底角部には、段部が設けられ、前記溝部は、前記段部に対向する位置よりも前記壁体の厚さ方向中心側に形成されていることを特徴とする。
【００１７】
傾斜部の加工は平坦面を加工する場合に比べて難易度が高い。したがって、周壁面のそれぞれを加工する工程と、歯底のみを加工する工程とを分けて、３パスで周壁面および歯底を加工するようにした。これにより、傾斜部となる歯底を精度良く加工することができる。
また、加工難度が高い傾斜部を有するスクロール部材は、歯底角部に段部が生じやすいので、上述のように溝部の位置を段部に対向しないようにしてチップシールを段部に接触させないようにすることが特に有効となる。
なお、歯底加工工程の加工ピッチを各周壁面加工工程の加工ピッチよりも細かくして、より歯底の傾斜部を精度良く加工することが好ましい。
また、傾斜部の歯先についても、歯底加工工程と同等の加工ピッチとして加工することが好ましい。
また、歯底角部に設けられた段部は、加工によって不可避的に形成されたものも含む。
【発明の効果】
【００１８】
段部に対向する位置よりも壁体の厚さ方向中心側に溝部を形成することとしたので、チップシールが段部との接触を防止できる。これにより、チップシールと段部との隙間からの流体漏れを低減するとともにチップシールの摩耗を抑えることができ、スクロール流体機械の性能の低下を抑えることができる。
【図面の簡単な説明】
【００１９】
【図１】本発明の一実施形態にかかるスクロール圧縮機の固定スクロール及び旋回スクロールを示し、（ａ）は縦断面図、（ｂ）は固定スクロールの壁体側から見た平面図である。
【図２】図１の旋回スクロールを示した斜視図である。
【図３】固定スクロールに設けた端板平坦部を示した平面図である。
【図４】固定スクロールに設けた壁体平坦部を示した平面図である。
【図５】渦巻き方向に伸ばして表示した壁体を示す模式図である。
【図６】図１（ｂ）の符号Ｚの領域を拡大して示した部分拡大図である。
【図７】図６で示した部分のチップシール隙間を示し、（ａ）はチップシール隙間が相対的に小さい状態を示した側面図であり、（ｂ）はチップシール隙間が相対的に大きい状態を示した側面図である。
【図８】傾斜部において半径方向に切断した歯先近傍の断面を示した縦断面図である。
【図９】図８の変形例を示した縦断面図である。
【図１０】変形例を示し、（ａ）は段部を有していないスクロールとの組合せを示す縦断面図であり、（ｂ）は段付きスクロールとの組合せを示した縦断面図である。
【発明を実施するための形態】
【００２０】
以下に、本発明にかかる一実施形態について、図面を参照して説明する。
図１には、スクロール圧縮機（スクロール流体機械）１の固定スクロール（第１スクロール部材）３と旋回スクロール（第２スクロール部材）５が示されている。スクロール圧縮機１は、例えば空調機等の冷凍サイクルを行うガス冷媒（流体）を圧縮する圧縮機として用いられる。
【００２１】
固定スクロール３及び旋回スクロール５は、アルミ合金製や鉄製等の金属製の圧縮機構とされ、図示しないハウジング内に収容されている。固定スクロール３及び旋回スクロール５は、ハウジング内に導かれた流体を外周側から吸い込み、固定スクロール３の中央の吐出ポート３ｃから外部へと圧縮後の流体を吐出する。
【００２２】
固定スクロール３は、ハウジングに固定されており、図１（ａ）に示されているように、略円板形状の端板（第１端板）３ａと、端板３ａの一側面上に立設された渦巻状の壁体（第１壁体）３ｂとを備えている。旋回スクロール５は、略円板形状の端板（第２端板）５ａと、端板５ａの一側面上に立設された渦巻状の壁体（第２壁体）５ｂとを備えている。各壁体３ｂ，５ｂの渦巻形状は、例えば、インボリュート曲線やアルキメデス曲線を用いて定義されている。
【００２３】
固定スクロール３と旋回スクロール５は、その中心を旋回半径ρだけ離し、壁体３ｂ，５ｂの位相を１８０°ずらして噛み合わされ、両スクロールの壁体３ｂ、５ｂの歯先と歯底間に常温で僅かな高さ方向のクリアランス（チップクリアランス）を有するように組み付けられている。これにより、両スクロール３，５間に、その端板３ａ，５ａと壁体３ｂ、５ｂとにより囲まれて形成される複数対の圧縮室がスクロール中心に対して対称に形成される。旋回スクロール５は、図示しないオルダムリング等の自転防止機構によって固定スクロール３の周りを公転旋回運動する。
【００２４】
図１（ａ）に示すように、向かい合う両端板３ａ，５ａ間の対向面間距離Ｌが、渦巻状の壁体３ｂ，５ｂの外周側から内周側に向かって、連続的に減少する傾斜部が設けられている。
【００２５】
図２に示すように、旋回スクロール５の壁体５ｂには、外周側から内周側に向かって高さが連続的に減少する壁体傾斜部５ｂ１が設けられている。この壁体傾斜部５ｂ１の歯先が対向する固定スクロール３の歯底面には、壁体傾斜部５ｂ１の傾斜に応じて傾斜する端板傾斜部３ａ１（図１（ａ）参照）が設けられている。これら壁体傾斜部５ｂ１及び端板傾斜部３ａ１によって、連続的な傾斜部が構成されている。同様に、固定スクロール３の壁体３ｂにも高さが外周側から内周側に向かって連続的に傾斜する壁体傾斜部３ｂ１が設けられ、この壁体傾斜部３ｂ１の歯先に対向する端板傾斜部５ａ１が旋回スクロール５の端板５ａに設けられている。
【００２６】
なお、本実施形態でいう傾斜部における連続的という意味は、滑らかに接続された傾斜に限定されるものではなく、加工時に不可避的に生じるような小さな段部が階段状に接続されており、傾斜部を全体としてみれば連続的に傾斜しているものも含まれる。ただし、いわゆる段付きスクロールのような大きな段部は含まれない。
【００２７】
壁体傾斜部３ｂ１，５ｂ１及び／又は端板傾斜部３ａ１，５ａ１には、コーティングが施されている。コーティングとしては、例えば、リン酸マンガン処理やニッケルリンめっき等が挙げられる。
【００２８】
図２に示されているように、旋回スクロール５の壁体５ｂの最内周側と最外周側には、それぞれ、高さが一定とされた壁体平坦部５ｂ２，５ｂ３が設けられている。これら壁体平坦部５ｂ２，５ｂ３は、旋回スクロール５の中心Ｏ２（図１（ａ）参照）まわりに１８０°の領域にわたって設けられている。壁体平坦部５ｂ２，５ｂ３と壁体傾斜部５ｂ１とが接続される位置には、それぞれ、屈曲部となる壁体傾斜接続部５ｂ４，５ｂ５が設けられている。
旋回スクロール５の端板５ａの歯底についても同様に、高さが一定とされた端板平坦部５ａ２，５ａ３が設けられている。これら端板平坦部５ａ２，５ａ３についても、旋回スクロール５の中心まわりに１８０°の領域にわたって設けられている。端板平坦部５ａ２，５ａ３と端板傾斜部５ａ１とが接続される位置には、それぞれ、屈曲部となる端板傾斜接続部５ａ４，５ａ５が設けられている。
【００２９】
図３及び図４にハッチングにて示すように、固定スクロール３についても、旋回スクロール５と同様に、端板平坦部３ａ２，３ａ３、壁体平坦部３ｂ２，３ｂ３、端板傾斜接続部３ａ４，３ａ５及び壁体傾斜接続部３ｂ４，３ｂ５が設けられている。
【００３０】
図５には、渦巻き方向に伸ばして表示した壁体３ｂ，５ｂが示されている。同図に示されているように、最内周側の壁体平坦部３ｂ２，５ｂ２が距離Ｄ２にわたって設けられ、最外周側の壁体平坦部３ｂ３，５ｂ３が距離Ｄ３にわたって設けられている。距離Ｄ２及び距離Ｄ３は、それぞれ、各スクロール３，５の中心Ｏ１，Ｏ２まわりに１８０°とされた領域に相当する長さとなっている。最内周側の壁体平坦部３ｂ２，５ｂ２と最外周側の壁体平坦部３ｂ３，５ｂ３との間に、壁体傾斜部３ｂ１，５ｂ１が距離Ｄ２にわたって設けられている。最内周側の壁体平坦部３ｂ２，５ｂ２と最外周側の壁体平坦部３ｂ３，５ｂ３との高低差をｈとすると、壁体傾斜部３ｂ１，５ｂ１の傾きφは下式とされる。
φ＝tan（h/D1）    ・・・（１）
このように、傾斜部における傾きφは、渦巻状の壁体３ｂ，５ｂが延在する周方向に対して一定とされている。
【００３１】
図６には、図１（ｂ）の符号Ｚで示した領域の拡大図が示されている。図６に示されているように、固定スクロール３の壁体３ｂの歯先には、チップシール７が設けられている。チップシール７は樹脂製とされており、対向する旋回スクロール５の端板５ａの歯底に接触して流体をシールする。チップシール７は、壁体３ｂの歯先に周方向にわたって形成されたチップシール溝３ｄ内に収容されている。このチップシール溝３ｄ内に圧縮流体が入り込み、チップシール７を背面から押圧して歯底側に押し出すことで対向する歯底に接触させるようになっている。なお、旋回スクロール５の壁体５ｂの歯先に対しても、同様にチップシールが設けられている。
【００３２】
図７に示すように、壁体３ｂの高さ方向におけるチップシール７の高さＨｃは、周方向に一定とされている。
両スクロール３，５が相対的に公転旋回運動を行うと、旋回直径（旋回半径ρ×２）分だけ歯先と歯底の位置が相対的にずれる。この歯先と歯底の位置ずれに起因して、傾斜部では、歯先と歯底との間のチップクリアランスが変化する。例えば、図７（ａ）ではチップクリアランスＴが小さく、図７（ｂ）ではチップクリアランスＴが大きいことを示している。チップシール７は、このチップクリアランスＴが旋回運動によって変化しても、背面から圧縮流体によって端板５ａの歯底側に押圧されるので、追従してシールできるようになっている。
【００３３】
図８には、固定スクロール３の壁体傾斜部３ｂ１の所定位置において半径方向に切断した歯先近傍の断面が示されている。なお、旋回スクロール５の壁体傾斜部５ｂ１において半径方向に切断した歯先近傍の断面も同様の形状とされる。したがって、以下では、固定スクロール３の壁体傾斜部３ｂ１の歯先と、これに対向する旋回スクロール５の端板傾斜部５ａ１の歯底との関係についてのみ説明する。
【００３４】
同図に示されているように、壁体３ｂの歯先と端板５ａの歯底とが対向して位置している。壁体３ｂの歯先には、チップシール溝３ｄ内に収納されたチップシール７が配置されている。チップシール溝３ｄの溝幅Ｔｗは、チップシール７の幅よりも僅かに大きく形成されている。なお、符号Ｔｒは、壁体３ｂの幅を示す。また、符号Ｔａは、壁体３ｂの周壁部からチップシール溝３ｄまでの歯先における寸法に相当する土手幅である。つまり、土手幅Ｔａの領域は、歯先にチップシール溝３ｄが形成されていない領域となる。
【００３５】
チップシール７は、チップシール７の背面に入り込んだ流体の圧力によって、歯底側（同図において下側）に押し付けられている。壁体３ｂは、一方の壁体５ｂＲ（同図において右側）近傍に位置しており、この位置で圧縮室を閉じるようにシールがなされる。壁体３ｂは、他方の壁体５ｂＬ（同図において左側）から離間しており、これらの間に圧縮室が形成される。
【００３６】
壁体５ｂの根元の歯底角部９には、中央の歯底から突出した段部９ａが形成されている。段部９ａは、段部幅Ｓｗを有しており、壁体３ｂの歯先角部８に対向して位置している。
【００３７】
チップシール溝３ｄは、段部９ａに対向する位置よりも壁体３ｂの厚さ方向中心側にずらして形成されている。すなわち、壁体３ｂの歯先の土手幅Ｔａは、歯底角部９の段部９ａの段部幅Ｓｗよりも大きい寸法とされている。これにより、チップシール７は、段部９ａとは接触しない位置に設置されることになる。
【００３８】
歯底角部９に位置する段部９ａは、端板傾斜部５ａ１の加工を行うことによって不可避的に形成される。なぜなら、端板５ａの歯底に傾斜面を形成する加工は、平坦面を加工する場合に比べて難易度が高いからである。端板傾斜部５ａ１は、次の３パスからなる加工工程によって加工される。
【００３９】
先ず、１パス目の加工として、一方の壁体５ｂＲの周壁面及び隣接する歯底をエンドミルで加工する（第１周壁面加工工程）。この工程での加工ピッチは、第１加工ピッチｐ１として、ＮＣ（Numerical Control）工作機械の指令プログラムとして与えられる。このときのエンドミルの直径はＤｅとされ、歯底幅Ｔｇよりも僅かに小さい寸法とされる。
次に、２パス目の加工として、他方の壁体５ｂＬの周壁面及び隣接する歯底をエンドミルで加工する（第２周壁面加工工程）。この工程での加工ピッチは、１パス目と同じ第１加工ピッチｐ１とされる。エンドミルの直径は１パス目と同じ直径Ｄｅが用いられる。
最後に、３パス目の加工として、一方の壁体５ｂＲの周壁面と他方の壁体５ｂＬの周壁面との間の中央の歯底のみを加工する（歯底加工工程）。この工程での加工ピッチは、１パス目及び２パス目の第１加工ピッチｐ１よりも細かい第２加工ピッチｐ２が用いられる。これにより、歯底面の傾斜が可及的に滑らかに形成される。エンドミルの直径は、歯底幅Ｔｇよりも小さい寸法とされ、例えば１パス目及び２パス目と同じ直径Ｄｅが用いられる。
【００４０】
以上のように３パスとされた加工工程を経て端板傾斜部５ａ１とこれに隣接する壁体５ｂの周壁面を加工する。このとき、歯底を加工する３パス目の際に用いる第２加工ピッチｐ２が１パス目及び２パス目の第１加工ピッチｐ１よりも細かいので、３パス目の加工が施されていない両側の歯底角部９に段部９ａが残されることになる。
この段部９ａの段部幅Ｓｗは、３パス目の加工が歯底幅の中心に沿って行われたと仮定すれば、（Ｔｇ−Ｄｅ）／２となる。
なお、段部９ａは、１パス目及び２パス目の加工時におけるエンドミルの刃先高さ（同図において上下方向）と、３パス目の加工時におけるエンドミルの刃先高さとの相違（加工誤差）によっても生じ得る。
【００４１】
壁体３ｂの歯先である壁体傾斜部３ｂ１の加工は、上述した３パス目の加工と同じ第２加工ピッチｐ２を用いて加工される。その後、チップシール溝３ｄを形成する加工が行われる。
【００４２】
上述したスクロール圧縮機１は、以下のように動作する。
図示しない電動モータ等の駆動源によって、旋回スクロール５が固定スクロール３回りに公転旋回運動を行う。これにより、各スクロール３，５の外周側から流体を吸い込み、各壁体３ｂ，５ｂ及び各端板３ａ，５ａによって囲まれた圧縮室に流体を取り込む。圧縮室内の流体は外周側から内周側に移動するに従い順次圧縮され、最終的に固定スクロール３に形成された吐出ポート３ｃから圧縮流体が吐出される。流体が圧縮される際に、端板傾斜部３ａ１，５ａ１及び壁体傾斜部３ｂ１，５ｂ１によって形成された傾斜部では壁体３ｂ，５ｂの高さ方向にも圧縮されて、三次元圧縮が行われる。
【００４３】
本実施形態によれば、以下の作用効果を奏する。
歯底の加工を行う際に、壁体５ｂの根元の歯底角部９に段部９ａが形成される。この段部９ａを跨がるようにチップシール７が接触すると、チップシール７と歯底との間に隙間が生じて流体の漏れが発生するおそれがあり、またチップシール７が摩耗するおそれがある。
そこで、本実施形態では、段部９ａに対向する位置よりも壁体３ｂの厚さ方向中心側にチップシール溝３ｄを形成することとして、チップシール７が段部９ａに接触しないようにした。すなわち、土手幅Ｔａを段部幅Ｓｗよりも大きくした（Ｔａ＞Ｓｗ）。これにより、漏れを低減するとともにチップシール７の摩耗を抑えることができ、スクロール圧縮機１の性能の低下を抑えることができる。
【００４４】
本実施形態のように、端板傾斜部３ａ１，５ａ１を有するスクロール３，５は、加工が困難なため歯底角部９に段部９ａが生じやすいので、チップシール溝３ｄの位置を段部９ａに対向しないようにしてチップシール７を段部９ａに接触させないようにすることが特に有効となる。
【００４５】
また、壁体５ｂＲ，５ｂＬの周壁面のそれぞれを加工する工程と、歯底のみを加工する工程とを分けて、３パスで周壁面および歯底を加工するようにした。これにより、傾斜部となる歯底を精度良く加工することができる。
【００４６】
なお、本実施形態では、３パスの加工によって歯底が加工された場合に生じる段部９ａとの接触を回避する構成を説明したが、本発明は、図９に示すように、２パスの加工によって歯底が加工された場合に生じる段部９ａ’に対しても適用できる。
【００４７】
図９に示された端板５ａの歯底は、次のように２パスで加工される。
先ず、１パス目の加工として、一方の壁体５ｂＲの周壁面及び隣接する歯底をエンドミルで加工する。
次に、２パス目の加工として、他方の壁体５ｂＬの周壁面及び隣接する歯底をエンドミルで加工する。このときに形成した歯底を最終形状とする。２パス目では、加工ピッチを１パス目の第１加工ピッチｐ１よりも小さい第２加工ピッチｐ２を用いても良いし、第１加工ピッチｐ１を用いても良い。
【００４８】
このような２パスによる加工を行うと、上述したように加工ピッチの相違や、１パス目と２パス目との加工時におけるエンドミルの刃先高さの相違（加工誤差）によって、段部９ａ’が不可避的に生じることとなる。この場合、段部幅Ｓｗ’は、（Ｔｇ−Ｄｅ）となる。
段部９ａ’との接触を回避するように、段部９ａ’に対向する位置よりも壁体３ｂの厚さ方向中心側にチップシール溝３ｄを形成する。これにより、２パス加工によって生じる段部９ａ’に対しても、チップシール７との接触を回避してスクロール圧縮機１の性能低下を抑えることができる。
【００４９】
また、本実施形態では、端板傾斜部３ａ１，５ａ１及び壁体傾斜部３ｂ１，５ｂ１を両スクロール３，５に設けることとしたが、いずれか一方に設けても良い。
具体的には、図１０（ａ）に示すように、一方の壁体（例えば旋回スクロール５）に壁体傾斜部５ｂ１を設け、他方の端板３ａに端板傾斜部３ａ１を設けた場合には、他方の壁体と一方の端板５ａは平坦としても良い。
また、図１０（ｂ）に示すように、従来の段付き形状と組み合わせた形状、すなわち、固定スクロール３の端板３ａに端板傾斜部３ａ１を設ける一方で、旋回スクロール５の端板５ａに段部が設けられた形状と組み合わせても良い。
【００５０】
本実施形態では、壁体平坦部３ｂ２，３ｂ３，５ｂ２，５ｂ３および端板平坦部３ａ２，３ａ３，５ａ２，５ａ３を設けることとしたが、内周側及び／又は外周側の平坦部を省略して傾斜部を壁体３ｂ，５ｂの全体に延長して設けるようにしてもよい。
【００５１】
本実施形態では、傾斜部を有するスクロール圧縮機１として説明したが、段部を備えていない一般的なスクロール圧縮機や段付きスクロール圧縮機であっても、段部９ａ，９ａ’は歯底角部の加工誤差によって生じ得る。したがって、本発明は、段部を備えていない一般的なスクロール圧縮機や段付きスクロール圧縮機に対しても適用することができる。
【００５２】
本実施形態では、スクロール圧縮機として説明したが、膨張機として用いるスクロール膨張機に対しても本発明を適用することができる。
【符号の説明】
【００５３】
１  スクロール圧縮機（スクロール流体機械）
３  固定スクロール（第１スクロール部材）
３ａ  端板（第１端板）
３ａ１  端板傾斜部
３ａ２  端板平坦部（内周側）
３ａ３  端板平坦部（外周側）
３ａ４  端板傾斜接続部（内周側）
３ａ５  端板傾斜接続部（外周側）
３ｂ  壁体（第１壁体）
３ｂ１  壁体傾斜部
３ｂ２  壁体平坦部（内周側）
３ｂ３  壁体平坦部（外周側）
３ｂ４  壁体傾斜接続部（内周側）
３ｂ５  壁体傾斜接続部（外周側）
３ｃ  吐出ポート
３ｄ  チップシール溝
５  旋回スクロール（第２スクロール部材）
５ａ  端板（第２端板）
５ａ１  端板傾斜部
５ａ２  端板平坦部（内周側）
５ａ３  端板平坦部（外周側）
５ａ４  端板傾斜接続部（内周側）
５ａ５  端板傾斜接続部（外周側）
５ｂ  壁体（第２壁体）
５ｂ１  壁体傾斜部
５ｂ２  壁体平坦部（内周側）
５ｂ３  壁体平坦部（外周側）
５ｂ４  壁体傾斜接続部（内周側）
５ｂ５  壁体傾斜接続部（外周側）
７  チップシール
８  歯先角部
９  歯底角部
９ａ  段部
Ｄｅ  エンドミル直径
Ｌ  対向面間距離
Ｓｗ  段部幅
Ｔ  チップクリアランス
Ｔａ  土手幅
Ｔｒ  壁体幅
Ｔｗ  溝幅
Ｔｇ  歯底幅
φ  傾き
【図１】
2018031349.tif 000003
【図２】
2018031349.tif 000004
【図３】
2018031349.tif 000005
【図４】
2018031349.tif 000006
【図５】
2018031349.tif 000007
【図６】
2018031349.tif 000008
【図７】
2018031349.tif 000009
【図８】
2018031349.tif 000010
【図９】
2018031349.tif 000011
【図１０】
2018031349.tif 000012